(57)【特許請求の範囲】
【請求項１】
固定板の一方の面に、入力された電源を昇圧するトランスと、このトランスの二次側配線を前記固定板に固定する固定手段とを固定するとともに、前記トランスからの昇圧電力を受ける放電管を前記固定板の他方の面に放電管支持具を介して取り付けて、これらを前記固定板とともに本体ケース内に組み込んだ放電管組込ユニットにおいて、
前記本体ケースを、当該放電管組込ユニット全体を取り付けるために使用される基部と、この基部の一部より立ち上がる立上がり部とを少なくとも備えたものとして構成するとともに、
前記トランス及び放電管を取り付けた前記固定板の一端縁を前記立上がり部に着脱自在に連結したことを特徴とする放電管組込ユニット。
【請求項２】
前記本体ケースに対する前記固定板の他端縁への連結を、前記本体ケースに立設されて前記固定板の他端縁が挿入される固定手段取付溝を有する組付板を介して行うようにしたことを特徴とする請求項１記載の放電管組込ユニット。
【請求項３】
前記固定手段は、前記二次側配線を把持する二次配線固定手段を備えたことを特徴とする請求項１又は請求項２に記載の放電管組込ユニット。
【請求項４】
前記固定手段の各二次配線固定手段間に空間部を介在させることにより、前記各二次配線固定手段内に二次側配線を挿入する際に、前記各二次配線固定手段を形成している各腕部が撓み得るようにしたことを特徴とする請求項３記載の放電管組込ユニット。
【請求項５】
前記放電管支持具を、前記固定板側に固定される本体と、この本体に固定されて、前記放電管が収納される放電管挿入部を形成することになる嵌合体とにより構成したことを特徴とする請求項１〜請求項４のいずれかに記載の放電管組込ユニット。
【請求項６】
前記各放電管挿入部の内面に保持突条を形成したことを特徴とする請求項５記載の放電管組込ユニット。
【発明の詳細な説明】
【技術分野】
【０００１】
本発明は、建物の外壁や観覧車等の遊具の側面に装着されて、装飾照明として使用する放電管組込ユニットに関し、特に複数の放電管と、これに電源電圧を供給するトランスとを一体的に組付けた放電管組込ユニットに関するものである。
【背景技術】
【０００２】
従来、例えば特許文献１に示されているように、複数のネオン管と、商用電源１００Ｖから供給された電源電圧を昇圧し、その昇圧された電力を、各ネオン管に供給するネオントランスとを一体化したネオン管組込ユニットあるいは放電管組込ユニットが多く製品化されており、これら放電管組込ユニットは、建物の外壁や観覧車等の遊具の側面に多数装着して、建物の外壁や観覧車等の装飾照明として使用されている。
【０００３】
一般に、従来のネオン管組込ユニットには、箱状に形成された本体ケースの中に、両端を折り曲げた複数本のネオン管が設けられ、透明なカバーを通して、そのネオン管の発光を見ることができる。また、そのネオン管の下方には昇圧された電力をネオン管に供給するためのネオントランスが設けられており、そのネオントランスからは、各ネオン管の両端へ各１本ずつ電源を供給するための二次配線が接続されている。
【０００４】
特に、特許文献１に記載されている「ネオン管組込ユニット」は、「ネオン管が予め組み込まれたネオン管組込ユニットを提供し、故障発生時にはそのユニットごと交換すれば専門技術を要さず即座に対処できると共に施工が容易となり工事コストが軽減できるようにする」ことを目的としてなされて、図２５及び図２６に示すように、「直線状のネオン管１Ｒ，１Ｇ，１Ｂの両端部をヘヤピン状に折曲しその折曲部分２に電極３を内装すると共に、平板状の反射板５の両端部が前記折曲部分の内側に位置するように該反射板５を該ネオン管の背面に配設し、該ネオン管を点灯させる変圧器６を該反射板の裏側の前記両折曲部分２間に位置させ、該反射板を長方形状の容器７にその開口が閉じられるように装着した」という構成を有したものである。
【特許文献１】特開平１０−１２０２９号公報、要約、図２、図３、段落０００７
【発明の開示】
【発明が解決しようとする課題】
【０００５】
特許文献１の「ネオン管組込ユニット」によると、当該文献の上記の目的は達成できると思われるが、段落０００７に記載されているように、「７は、アルミニウム材の押出成形等により形成された横断面略コ字状の容器本体８と、該容器本体８の両端部に嵌着されたキャップ体９とからなる長方形状の容器で、該容器本体８の内側面に形成された溝１０，１０に反射板５の両側縁を挿入することにより該反射板５でこの容器の開口が閉じられるように装着している。また、１１，１１は各ネオン管１Ｒ，１Ｇ，１Ｂの間隔を保つために両端部を容器本体８の内側面の開口縁部に形成された溝１５に装着したスペーサである。また、１２は変圧器６の一次側と導通し一方のキャップ体９より外部に導出された電源コード、１３は該電源コード１２の先端に設けられた接続プラグである」ことから、次のような不都合があるのではないかと考えられる。
【０００６】
まず、特許文献１に記載されたものを代表とする従来のネオン管組込ユニットでは、ネオン管は固定手段に固定され、またトランスは本体ケースに組込んで固定されているために、個々に組込作業が必要であった。つまり、従来のネオン管組込ユニットでは、その個々の組込作業を行う際やメンテナンス作業を行う際のために、十分な作業空間や作業面積を確保しておく必要があり、この種のネオン管組込ユニットまたは放電管組込ユニットを
コンパクトにすることが非常に困難であると考えられる。
【０００７】
また、上記従来のネオン管組込ユニットでは、全ての部品を個々に順番に取り付けなければならず、製造工程上は勿論、点検作業（メンテナンス）上においても、大変手間のかかる構造のものとなっていたと考えられる。
【０００８】
さらに、個々の組込作業を行う際やメンテナンス作業を行う際のための十分な作業空間や作業面積を確保しておく必要がある従来のネオン管組込ユニットでは、十分な作業空間や作業面積を確保した結果、例えば図２６にも示すように、配線を無駄に長いものとせざるを得ず、配線同士の交差も発生し易くて、組込作業やメンテナンス作業がしにくいものとなっているとも考えられる。
【０００９】
何故なら、トランスの二次側配線とネオン管とを電気的に接続するとき、両者間の距離だけの長さの二次側配線であると非常に接続作業が行いにくいので、この二次側配線は言わば余分な長さを有するものとする必要があり、その結果、この二次側配線同士あるいはこれらと一次側配線とが交差してしまうのである。また、交差し合った一次側及び二次側配線が存在していると、これらが他の部材の接続や嵌合時に邪魔になり、非常に組立作業性を悪くしてしまうのである。
【００１０】
特に、図２６に示した従来例におけるように、一次側配線と二次側配線とが互いに交差していたとすると、一次側から入ってきた信号が二次側に電磁的影響を与えてこれが所謂「ノイズ」となり、ネオン発光を代表とする放電発光の不安定性を招き、機器全体の調子を狂わせるということにもなりかねない。
【００１１】
そこで、本発明者等は、この種の放電管組込ユニットについて、その組込作業やメンテナンス作業が簡単に行えて、しかも全体をさらにコンパクト化できるようにするにはどうしたらよいか、について種々検討を重ねてきた結果、本発明を完成したのである。
【００１２】
すなわち、本発明の目的とするところは、組込作業やメンテナンス作業が簡単に行えて、全体をさらにコンパクト化でき、しかもノイズの取り込みをも防止することのできる放電管組込ユニットを、簡単な構成によって提供することにある。
【課題を解決するための手段】
【００１３】
上記課題を解決するために、請求項１に記載の放電管組込ユニットは、
固定板の一方の面に、入力された電源を昇圧するトランスと、このトランスの二次側配線を前記固定板に固定する固定手段とを固定するとともに、前記トランスからの昇圧電力を受ける放電管を前記固定板の他方の面に放電管支持具を介して取り付けて、これらを前記固定板とともに本体ケース内に組み込んだ放電管組込ユニットにおいて、
前記本体ケースを、当該放電管組込ユニット全体を取り付けるために使用される基部と、この基部の一部より立ち上がる立上がり部とを少なくとも備えたものとして構成するとともに、
前記トランス及び放電管を取り付けた前記固定板の一端縁を前記立上がり部に着脱自在に連結したことを要旨とする。
【００１４】
また、請求項２に記載の放電管組込ユニットは、請求項１に記載の放電管組込ユニットに加えて、
前記本体ケースに対する前記固定板の他端縁への連結を、前記本体ケースに立設されて前記固定板の他端縁が挿入される固定手段取付溝を有する組付板を介して行うようにしたことを要旨とする。
【００１５】
また、請求項３に記載の放電管組込ユニットは、請求項１又は請求項２に記載の放電管組込ユニットに加えて、
前記固定手段は、前記二次側配線を把持する二次配線固定手段を備えたことを要旨とする。
【００１６】
また、請求項４に記載の放電管組込ユニットは、請求項３に記載の放電管組込ユニットに加えて、
前記固定手段の各二次配線固定手段間に空間部を介在させることにより、前記各二次配線固定手段内に二次側配線を挿入する際に、前記各二次配線固定手段を形成している各腕部が撓み得るようにしたことを要旨とする。
【００１７】
また、請求項５に記載の放電管組込ユニットは、請求項１〜請求項４のいずれかに記載の放電管組込ユニットに加えて、
前記放電管支持具を、前記固定板側に固定される本体と、この本体に固定されて、前記放電管が収納される放電管挿入部を形成することになる嵌合体とにより構成したことを要旨とする。
【００１８】
また、請求項６に記載の放電管組込ユニットは、請求項５に記載の放電管組込ユニットに加えて、
前記各放電管挿入部の内面に保持突条を形成したことを要旨とする。
【発明の効果】
【００１９】
以上、本発明に係る放電管組込ユニットによれば、組込作業やメンテナンス作業が簡単に行えて、全体をさらにコンパクト化でき、しかもノイズの取り込みをも防止することのできる放電管組込ユニットを、簡単な構成によって提供することができる。
【発明を実施するための最良の形態】
【００２０】
図１乃至図２４に基づいて、上記各請求項に係る発明を、図面に示した最良形態に係る放電管組込ユニット１００について説明すると、図１の（ａ）は、本最良形態の放電管組込ユニット１００を示す斜視図であり、図１の（ｂ）は、本最良形態の放電管組込ユニット１００の内部を示す斜視図である。また、図２の（ａ）は、本最良形態の内部ユニット１００ａを正面から見た正面図であり、図２の（ｂ）は、本最良形態の内部ユニット１００ａを底面から見た底面図である。さらに、図１１は、本最良形態の固定手段３０を使用したときの状態を示す斜視図である。そして、図１６の（ａ）は、本最良形態の固定手段３０を平面から見た平面図であり、図１６の（ｂ）は、本最良形態の固定手段３０を正面から見た正面図である。
【００２１】
図１の（ａ）及び図１の（ｂ）に示すように、放電管組込ユニット１００は、カバー７０ａと本体ケース７０とが嵌合して一体化するよう放電管組込ユニット１００が構成されており、上方には、放電管４０からの光を透過する透明なカバー７０ａを設け、内部には、放電管４０やトランス２０を組み込んだ内部ユニット１００ａが設けられ、下方には、その内部ユニット１００ａを収納するための本体ケース７０が、アルミニウムの金属によって上方を開口した箱形状に形成されている。
【００２２】
すなわち、本最良形態に係る放電管組込ユニット１００は、３本の放電管４０と、入力した電源を昇圧し、その昇圧された電力を当該放電管４０に供給するトランス２０と、当該トランス２０と放電管４０との間に設けられ当該トランス２０からの前記電力を供給するための二次側配線２２とを、箱状になす本体ケース７０内に組み込んだものを基本構成とするものである。
【００２３】
そして、この放電管組込ユニット１００においては、図２〜図４に示したように、板状の固定板１０の裏面にトランス２０を固定して設け、このトランス２０からの前記電力を供給するための二次側配線２２を、本体ケース７０内に固定される板状の固定板１０の裏面に固定手段３０を介して固定し、さらに、当該固定板１０の表面に、放電管４０を支持固定する放電管支持具５０と、放電管４０とを設けたものである。
【００２４】
固定板１０の表面には、放電管４０を取り付けるための放電管支持具５０が複数設けられ、更にこの固定板１０は、放電管４０からの光を上方に反射するための役割を兼ね矩形板状の反射材で形成されている。また、この固定板１０の裏面には、図２の（ｂ）に示したように、後述する２個の固定手段３０と、トランス２０とがビスで固定されている。
【００２５】
トランス２０は、例えば図２の（ａ）に示したように、一次側配線２１を通して外部から供給される電源を昇圧するトランスが内蔵され、そのトランスで昇圧された電力を放電管４０の端子に供給するための二次側配線２２が接続されている。また、このトランス２０の両端から延びた片の隅には、図２の（ｂ）及び図９に示したように、ビスを固定板１０に固定する際に、当該トランス２０の位置調整を行えるようにする長孔１１が設けてある。
【００２６】
また、本最良形態のトランス２０の一次側配線２１については、例えば図１の（ａ）に示したように、組付板６０を通して外部に引き出されるものであるが、この組付板６０と当該一次側配線２１とは、配線固定ボルト２１ａによって固定するようにしてある。更に、この組付板６０の側面の中央には、図１の（ａ）に示したように、当該トランス２０のアースを取るためのアース端子２３が設けられている。
【００２７】
次に、固定手段３０を、図２、図８、図９、図１１及び図１６に基づいて説明すると、この固定手段３０は、二次配線固定部３３と固定手段取付片３１とで構成され、二次配線固定部３３は、固定手段取付片３１の切り欠いた箇所に、上方から挟み込むような状態で取り付けられている。また、固定手段取付片３１には、図１６の（ｂ）に示したように、選択孔３６が穿設されており、図示しない二次配線固定部３３内部に設けられている突起が、選択孔３６と嵌合するように構成されている。
【００２８】
固定手段取付片３１は、固定板１０に沿って延設されたものであり、本体ケース７０の長手方向側面に沿って延設された本体取付片３２を有している。本体取付片３２は、固定手段取付片３１の両側に設けられており、図１１に示したように、本体ケース７０のビス孔７５と合致する位置にビスが嵌合できる大きさの本体取付孔３２ａが穿設されている。また、この固定手段取付片３１には、図１６の（ａ）に示したように、固定板１０へビスにより固定できる大きさの固定手段取付孔３１ａが２箇所穿設されている。
【００２９】
二次配線固定部３３は、弾性を持ったプラスチック材料により形成されており、図１６に示したように、二次配線固定手段３４と空間部３５が交互に並列して配置されている。二次配線固定手段３４は、二次側配線２２を挿入・把持できるようにした一対の把持部３４ａを有したもので、これら一対の把持部３４ａの上方は開口している。各把持部３４ａは、二次側配線２２に沿ってくびれた円弧状をなしており、円弧の一部を切り欠いた状態に形成してあり、二次側配線２２を挟んだ後に外れにくい形状にしてある。把持部３４ａの先端は、二次側配線２２の脱着を容易に誘導するための面取りが施されている。また、これらの把持部３４ａの間に形成した底部３４ｂは、二次側配線２２の外周がぴったりと当接し得るようになっている。
【００３０】
また、各空間部３５は、二次側配線２２同士が一定の間隔を保つことができるように、上方を開口したＵ字状に形成されている。すなわち、これら各空間部３５は、当該放電管組込ユニット１００の固定手段３０を構成している各二次配線固定手段３４間に、図１１及び図１６に示すように、介在させて、各二次配線固定手段３４内に二次側配線２２を挿入する際に、各二次配線固定手段３４に形成してある各把持部３４ａが空間部３５側に撓むことを可能にしているものであり、各把持部３４ａ間の各二次配線固定手段３４内に二次側配線２２を挿入する作業を簡単にするものである。
【００３１】
放電管４０は、着色したガラス材料で構成され表示する側を直線上に形成し、下方をトランス２０へ向かい屈曲して形成されている。放電管４０の両端には、電極となる端子が設けられており、その端子は、二次側配線２２と共に熱収縮チューブ４１によって被覆されている。また、これら各放電管４０は、一定間隔をおいて、放電管支持具５０により固定板１０に固定されている。更に、放電管４０の屈曲した下方では、透明なシリコン樹脂にて各放電管４０同士が一定の距離をおいて接着固定されている。
【００３２】
放電管支持具５０は、透明な耐熱性のあるプラスチック材料により構成され、放電管４０と固定板１０とを一定間隔に保つように、また放電管４０を挟み込み支持固定することができる形状に形成されている。
【００３３】
この放電管支持具５０については、図１〜図４、図７〜図１０、図１３〜図１５に示した上方開放タイプのものと、図１７〜図２２に示した嵌合体５２で閉じるタイプのものの二種類がある。上方開放タイプでは、図８に示したように、本体５１に一対の円弧腕５４を互いに対向させたものを３組形成したものであり、互いに対向し合った一対の円弧腕５４間に一本の放電管４０が挿入される。なお、一対の円弧腕５４の３組が同一直線上に位置していると、各円弧腕５４が撓んだとき互いに干渉し合うことになることがあるから、一対の円弧腕５４毎に本体５１に対して前後にズラすと、各円弧腕５４の撓みを干渉し合わないようにし得て、放電管４０の挿入を円滑に行える。
【００３４】
また、放電管挿入部５３を閉じるタイプの放電管支持具５０は、図１７〜図２２に示したように、固定板１０側に固定される本体５１と、この本体５１に固定されて、放電管４０が収納される放電管挿入部５３を形成することになる嵌合体５２とにより構成してある。
【００３５】
つまり、各放電管支持具５０は、図１７の（ａ）に示したように、各放電管４０を本体５１と嵌合体５２とによって挟み込むようにするものであり、放電管４０は、図１８の（ａ）及び（ｃ）に示したように、これを構成している取付部５１ａを、この取付部５１ａに形成した取付孔５１ｂに挿通したビスによって固定板１０の表面に固定される。また、嵌合体５２は、図１９に示したような形状及び構造を有したものであり、本体５１に対して嵌合されたとき本体５１に固定されて、これらの嵌合体５２及び本体５１間に、図２０に示したような放電管挿入部５３を形成するものである。
【００３６】
このようにした放電管支持具５０は、３本の放電管４０の固定板１０等への固定を、従来であったら結束ひもを使用して行っていたのであるが、そのような面倒な作業を必要とすることなく、簡単に行えるようにするものである。
【００３７】
また、各放電管支持具５０が形成する放電管挿入部５３の内面には、図２１または図２２に示したように、保持突条５３ａを形成することもなされる。これら各保持突条５３ａは、当該放電管支持具５０によって放電管４０を固定したときに、放電管４０の表面に接触して放電管４０の位置を確定させ、各放電管支持具５０によって放電管４０を支持したとき、この放電管４０の位置ズレを確実に防止するものである。
【００３８】
一般に、放電管４０の外形は、これがガラスによって形成されていることから、例えば「真円」になっていないことが多いし、部分によっては径が異なることがある。この点、当該放電管支持具５０の各保持突条５３ａは、放電管４０の上記変形を十分吸収するし自らも変形するから、各放電管支持具５０による放電管４０の支持を確実に行い、放電管４０の径に大小があってもこれを確実に吸収するものである。
【００３９】
次に、内部ユニット１００ａを、図２の（ａ）及び図２の（ｂ）に基づいて説明すると、この内部ユニット１００ａは、大きく分けると固定板１０と、この固定板１０の表面に上記各放電管支持具５０を介して取り付けられ、３本３色赤、緑、青の放電管４０と、固定板１０の裏面に取り付けられるトランス２０と、このトランス２０の各二次側配線２２を固定板１０に固定する固定手段３０とで構成されている。
【００４０】
この内部ユニット１００ａは、図３及び図４に示したような形態を採ることができるものであり、このような形態の内部ユニット１００ａ単独で、つまり後述する組付板６０や本体ケース７０とは無関係に製造あるいは販売されることが可能なものである。勿論、この内部ユニット１００ａは、組付板６０や本体ケース７０内に組み込んで、図５及び図６に示したような形態のものとして、つまり完成されたものとして製造あるいは販売されることを原則とするものである。
【００４１】
組付板６０は、図１及び図８に示したように、後述する本体ケース７０とは別体に形成される略板状のものであり、その本来の役割は、固定板１０あるいは内部ユニット１００ａを本体ケース７０内に確実に支持させることである。従って、この組付板６０は、本発明を実施するにあたって必ずしも必要なものではなく、本体ケース７０の一部として一体成形してもよいものである。
【００４２】
この組付板６０は、図１の（ａ）、図８、図１０、及び図１３に示したように、放電管４０の長手方向側面が覆える程度の長さを有する板状物であり、その上部内面には固定板１０の他端縁が挿入される固定手段取付溝６１が形成してある。また、この組付板６０の下端には、後述する本体ケース７０の基部７１上に形成した組付レール７３に係合される組付レール６２が形成してあり、その上端には、後述するカバー７０ａの端部が係合されるカバー取付溝６４が形成してある。さらに、この組付板６０の端部中央には、図８にも示したように、図１の（ａ）中に示した蓋７０ｂを固定するためのビス孔６３が形成してあり、このビス孔６３は、本体ケース７０側の立上がり部７２に形成してあるビス孔７５に対向している。更に、この組付板６０本体ケース７０の長手方向側面の中央には、アースを取るためのアース端子２３が設けられている。
【００４３】
この組付板６０は、図１３にも示すように、その下端の組付レール６２を本体ケース７０側の組付レール７３にスライド（差し込み）係合させることにより、本体ケース７０の立上がり部７２とは反対側に立設されるのであり、その固定手段取付溝６１に固定板１０の他端縁（図１３では図示左側端縁）をスライド（差し込み）係合して連結するものである。なお、固定板１０の一端縁（図１３では図示右側端縁）は、本体ケース７０の立上がり部７２に形成してある固定手段取付溝７２ａに連結（係合）される。
【００４４】
以上の組付板６０は、組付レール６２にて本体ケース７０の基部７１に取り付けられて本体ケース７０の立上がり部７２と平行になり、固定板１０の他端縁が固定手段取付溝６１に係合され、カバー取付溝６４内にカバー７０ａが係合されることにより、本体ケース７０やカバー７０ａとともに内部ユニット１００ａを完全に包み込む箱体を簡単に構成できるのであり、この箱体の剛性を十分なものとするのである。
【００４５】
このように、本体ケース７０とは別の組付板６０を形成して、この組付板６０を本体ケース７０に取り付けるようにした場合には、本体ケース７０自体の製造を簡単にすることができるだけでなく、組付板６０そのものを板状のものとすることができて、全体として製造を容易にすることができる。なお、このような組付板６０を固定板１０に組み付けたものを内部ユニット１００ａとしてもよく、この組付板６０がないものを内部ユニット１００ａとしてもよいものである。
【００４６】
さて、本体ケース７０であるが、その底面の両側には、図１、図２及び図８に示したように、長手方向に沿って延設された基部７１が設けられている。この基部７１は、建物や遊具等に放電管組込ユニット１００を取り付けるための固定孔７４が複数設けられ、ビス又はボルトで放電管組込ユニット１００を建物や遊具に固定できるように構成されている。
【００４７】
つまり、この本体ケース７０は、当該放電管組込ユニット１００全体を取り付けるために使用される基部７１と、この基部７１の一部より立ち上がる立上がり部７２とを少なくとも備えたものであり、図８〜図１３に示したように、トランス２０及び放電管４０を取り付けた固定板１０の一端縁を立上がり部７２に連結するようにしたものである。
【００４８】
また、この本体ケース７０の長手方向側面の片側には、図１等に示したように、トランス２０へ電源を供給するするための一次側配線２１が設けられ、配線固定ボルト２１ａによって本体ケース７０に固定されている。供給される電源は、商用電源ＡＣ１００Ｖ若しくはＡＣ２００Ｖが使用される。
【００４９】
この本体ケース７０では、図８にも示したように、上述した立上がり部７２の内面側に、固定板１０の一端縁を連結するための固定手段取付溝７２ａが形成してあり、基部７１の立上がり部７２とは反対側には、上述した組付板６０をスライド結合するための組付レール７３が形成してあって、これらの組付レール７３及び固定手段取付溝７２ａは、当該本体ケース７０の長手方向に沿った長尺なものとして形成してある。
【００５０】
また、この本体ケース７０は、図１等に示したカバー７０ａを有するものであり、このカバー７０ａは、図６に示したように、当該本体ケース７０内に内部ユニット１００ａを組み込んだ後に、その各放電管４０を覆うようにして当該本体ケース７０や組付板６０に取り付けられる。さらに、上述した立上がり部７２及び組付板６０の端面には、図１等に示したように、蓋７０ｂが取り付けられるものであるが、この蓋７０ｂにはこれをビス止めするためのビス孔７５が形成してある。
【００５１】
以上のような本体ケース７０を使用すれば、例えば図９、図１０及び図１１に示したように、その基部７１と立上がり部７２との間に内部ユニット１００ａが十分入り得る収納空間が構成できるだけでなく、当該放電管組込ユニット１００の組立作業途中において、固定板１０やその表裏各面に取り付けられる固定手段３０及び放電管支持具５０の周囲に大きな作業空間を確保できる。このため、固定板１０やこれに取り付けられる固定手段３０及び放電管支持具５０に対して、何らの邪魔ものもない状態で工具を集中できるのであり、内部ユニット１００ａの組み付け作業は勿論、固定手段３０及び放電管支持具５０の固定板１０への固定作業、固定手段３０への二次側配線２２の固定やこの二次側配線２２への熱収縮チューブ４１の取付作業等の種々な組み付け作業、あるいはメンテナンス作業を非常に簡単に行える。
【００５２】
（本最良形態の作用及び効果）
以下、本最良形態の作用及び効果を図１乃至図１６に基づいて説明する。
【００５３】
（１）内部ユニット１００ａは、固定板１０の表面に、放電管４０を把持した放電管支持具５０が固定されており、固定板１０の裏面に、トランス２０が固定されている。したがって、放電管４０を表面で固定し、更に裏面では、トランス２０が固定されているので、固定板１０に全ての部品が集約され一体化した状態に構成することができる。そして、この固定板１０の本体取付片３２を介して、本体ケース７０に固定することで、放電管組込ユニット１００の厚みを薄く構成することができると共に、簡単に全ての部品を取り付けることが可能となる。
【００５４】
（２）放電管４０の端子から延びた二次側配線２２が、トランス２０まで直線状に設けられているため、本体ケース７０へ組み込む際に、余分な長さを必要としないので、コンパクトに構成することができると共に、従来のように垂れ下がった二次側配線２２に邪魔されることなく、本体ケース７０に迅速簡単に装着することができる。
【００５５】
（３）固定手段３０は、把持部３４ａによって二次側配線２２を把持することができるので、内部ユニット１００ａを本体ケース７０に固定する際、従来のように垂れ下がった二次側配線２２に邪魔されることなく、本体ケース７０に迅速簡単に装着することができる。また、屈曲した後の下方に位置する放電管４０も二次側配線２２が固定されることで左右に動くことがなく、放電管４０同士が接触しないので破損を防止することができる。
【００５６】
（４）固定手段３０は、把持部３４ａとの間に各二次側配線２２を一定間隔に保つ空間部３５を設けているので、二次側配線２２同士が接触しないため、ノイズが発生するという問題が生じない。また、二次側配線２２が絡んで取付作業が繁雑になることもない。また、空間部３５は、二次側配線２２を把持部３４ａへ挿入する時のプラスチック材料の弾性による逃げ空間となり、二次側配線２２を把持部３４ａへ挿入し易く又把持部３４ａから外しやすくするように構成されている。
【００５７】
（５）固定手段３０の把持部３４ａは、図１６の（ｂ）に示すように、円状の一部を切り欠いた状態半円よりも少なく切り欠いた状態に形成し、二次側配線２２を挟んだ後、二次側配線２２を保持し外れにくい形状としているので、二次側配線２２が垂れ下がるようなことはなく、二次側配線２２を気にせず取付作業をすることができる。
【００５８】
（６）固定手段３０は、二次側配線２２を多少張力を張った状態で把持固定するため、放電管４０自体も固定板１０の方向へ押しつけられ、放電管支持具５０に支持されて更に強固に固定される。従って、放電管４０自体が不安定に揺れ動くことがないので、内部ユニット１００ａを本体ケース７０に装着する際、ガラスである放電管４０同士の接触を気にせず、組み付け作業を行うことができる。
【００５９】
（７）固定手段３０は、二次配線固定部３３内部の突起と、選択孔３６とによって、二次配線固定部３３の上下の移動を規制又は位置選択することができるように構成されている。このような構造を取ることにより、二次配線固定部３３は、上下に位置を選択固定することができるため、二次側配線２２に掛かる張力を調整することができる。また、二次側配線２２が規定長より短長した場合であっても対応することができる。
【００６０】
（８）固定手段３０は、二次側配線２２の保持だけでなく、本体取付片３２によって内部ユニット１００ａ全体を本体ケース７０へ取付る作用も兼ねているため、部品点数を削減することも可能である。
【００６１】
（９）放電管４０の端子と二次側配線２２とが、熱収縮チューブ４１によって密着固定されているので、振動や衝撃による放電管４０の端子の外れや断線の保護がなされている。また、漏電・感電防止対策ともなっている。
【００６２】
（１０）放電管４０の屈曲した下方では、透明なシリコン樹脂にて各放電管４０同士が一定の間隔をおいて接着固定されているので、放電管４０同士が接触して破損することがない。また、透明なシリコン樹脂を使用するため、光量を落とすこともない。
【００６３】
（１１）トランス２０は、固定板１０に固定する際の長孔１１が、トランス２０の両端から延びた片に設けられているので、トランス２０の取付位置を微調整することができる。
【００６４】
（本最良形態から把握される発明及びその説明）
以下に、上記本最良形態から把握される発明（技術的思想）を列記し、各々の発明について詳細に説明する。
上記課題を解決するために、［本発明イ］の放電管組込ユニットは、
「放電管４０と、入力した電源を昇圧し、その昇圧された電力を当該放電管４０に供給するトランス２０と、当該トランス２０と放電管４０との間に設けられ当該トランス２０からの前記電力を供給するための二次側配線２２とを、箱状になす本体ケース７０内に組み込んだ放電管組込ユニット１００において、本体ケース７０に固定される板状の固定板１０に固定手段３０を設け、  当該固定板１０は、表面に、放電管４０を支持固定する放電管支持具５０と、放電管４０とを設け、裏面に、トランス２０を固定して設けたことを特徴とする放電管組込ユニット１００」である。
【００６５】
すなわち、この［本発明イ］に係る放電管組込ユニット１００は、図１及び図６の各（ａ）、図７、及び図８に示すように、複数の放電管４０と、当該放電管４０に昇圧された電源電力を供給するトランス２０とを、箱状に形成した本体ケース７０内に組み込んだものである。
【００６６】
そして、この放電管組込ユニット１００においては、図２〜図４に示すように、板状の固定板１０の裏面にトランス２０を固定して設け、このトランス２０からの前記電力を供給するための二次側配線２２を、本体ケース７０内に固定される板状の固定板１０の裏面に固定手段３０を介して固定し、さらに、当該固定板１０の表面に、放電管４０を支持固定する放電管支持具５０と、放電管４０とを設けたものである。
【００６７】
以上のように構成した結果、この［本発明イ］に係る放電管組込ユニット１００では、特に図１及び図７に示すように、トランス２０に電力を入力するための一次側配線２１が本体ケース７０の外側になり、トランス２０からの二次側配線２２は本体ケース７０内になるから、図２６に示した従来例とは全く異なって、当該本体ケース７０内で一次側配線２１と二次側配線２２とが交差しなくなっている。このため、一次側配線２１及び二次側配線２２は互いに信号を拾い合うことがなく、各放電管４０の発光に異変が発生することはないのである。
【００６８】
従って、この［本発明イ］に記載の放電管組込ユニット１００では、固定板１０に全ての部品が集約され一体化した状態で本体ケース７０に固定し得るものとなっている。その結果、一次側配線２１と二次側配線２２とが交差しなくなって当該放電管組込ユニット１００の厚みが薄くなり、簡単な作業によって全ての部品を取り付けることが可能となっているのである。しかも、この放電管組込ユニット１００では、トランス２０の一次側配線２１及び二次側配線２２が本体ケース７０の内外に位置することになるから、ノイズによる各放電管４０の発光異変は発生しないものとなっているのである。
【００６９】
上記課題を解決するために、［本発明ロ］の放電管組込ユニットは、同様に、「固定板１０の一方の面に、入力された電源を昇圧するトランス２０と、このトランス２０の二次側配線２２を固定板１０に固定する固定手段３０とを固定するとともに、トランス２０からの昇圧電力を受ける放電管４０を固定板１０の他方の面に放電管支持具５０を介して取り付けて、これらを固定板１０とともに本体ケース７０内に組み込んだ放電管組込ユニット１００において、本体ケース７０を、当該放電管組込ユニット１００全体を取り付けるために使用される基部７１と、この基部７１の一部より立ち上がる立上がり部７２とを少なくとも備えたものとして構成するとともに、トランス２０及び放電管４０を取り付けた固定板１０の一端縁を立上がり部７２に着脱自在に連結したことを特徴とする放電管組込ユニット１００」である。
【００７０】
すなわち、この［本発明ロ］に係る放電管組込ユニット１００も、図１及び図６の各（ａ）、図７、及び図８に示すように、複数の放電管４０と、当該放電管４０に昇圧された電源電力を供給するトランス２０とを、箱状に形成した本体ケース７０内に組み込んだものとした点は、上記［本発明イ］のそれと同様である。
【００７１】
この［本発明ロ］に係る放電管組込ユニット１００においては、図１、図５〜図１５に示すように、本体ケース７０を、当該放電管組込ユニット１００全体を取り付けるために使用される基部７１と、この基部７１の一部より立ち上がる立上がり部７２とを少なくとも備えたものとして構成したことを明確にしたものであり、この点が上記［本発明イ］の放電管組込ユニット１００とは異なるものである。そして、この［本発明ロ］に係る放電管組込ユニット１００においては、図８〜図１３に示すように、トランス２０及び放電管４０を取り付けた固定板１０の一端縁を立上がり部７２に連結するようにしたものである。
【００７２】
以上の結果、例えば図９、図１０及び図１１に示すように、当該放電管組込ユニット１００の組立作業途中において、固定板１０やその表裏各面に取り付けられる固定手段３０及び放電管支持具５０の周囲に大きな作業空間が確保されている。このため、一次側配線２１や二次側配線２２の垂れ下がりや交差が発生しないだけでなく、固定板１０やこれに取り付けられる固定手段３０及び放電管支持具５０に対して、何らの邪魔ものもない状態で工具を集中できるのであり、固定手段３０及び放電管支持具５０の固定板１０への固定作業、固定手段３０への二次側配線２２の固定やこの二次側配線２２への熱収縮チューブ４１の取付作業等の種々な組み付け作業、あるいはメンテナンス作業が非常に簡単になっているのである。
【００７３】
また、この放電管組込ユニット１００は、固定板１０、トランス２０、固定手段３０、放電管４０、及び放電管支持具５０を互いに組み付けたものを、図３及び図４に示すような内部ユニット１００ａとし、この内部ユニット１００ａを本体ケース７０内に組み込むようにしたものである。この結果、内部ユニット１００ａは、本体ケース７０とは別に単独に製造することができることは上述した通りであるが、このような内部ユニット１００ａを本体ケース７０とは別にユーザー側に販売して、ユーザー側で好みに応じた形式の本体ケース７０に当該内部ユニット１００ａを組み込むような実施も可能となっているのである。
【００７４】
なお、後述する［本発明ハ］の放電管組込ユニット１００では、立上がり部７２を有する本体ケース７０に組付板６０を取り付けるようにして、全体としてこの本体ケース７０が箱状のものとなるようにしているが、この［本発明ロ］の放電管組込ユニット１００では、組付板６０を本体ケース７０の基部７１に一体的に形成するように実施してもよい。このようにした場合には、固定手段取付溝７２ａを一対として端部を開放したものとすれば、これらの固定手段取付溝７２ａ内に固定板１０の両端部を差し込むことができて、内部ユニット１００ａの本体ケース７０に対する組み込みが簡単に行える。
【００７５】
また、この［本発明ロ］に係る放電管組込ユニット１００も、特に図１及び図７に示すように、トランス２０に電力を入力するための一次側配線２１が本体ケース７０の外側になり、トランス２０からの二次側配線２２は本体ケース７０内になるから、当該本体ケース７０内で一次側配線２１と二次側配線２２とが交差しなくなっている。このため、一次側配線２１及び二次側配線２２は互いに信号を拾い合うことがなく、各放電管４０の発光に異変が発生することはない。
【００７６】
従って、この［本発明ロ］に記載の放電管組込ユニット１００も、固定板１０に全ての部品を一体化した状態で本体ケース７０に組み付け得るものとなっている。その結果、当該放電管組込ユニット１００の厚みが薄くなるだけでなく、内部ユニット１００ａとする場合にその周囲に大きな作業空間を確保できるのであり、何者にも邪魔されることなく全ての部品を組み付け得るものとなっている。しかも、この請求項２の放電管組込ユニット１００でも、ノイズによる各放電管４０の発光異変が発生しないものとなっている。
【００７７】
また、［本発明ハ］の放電管組込ユニットは、上記［本発明ロ］記載の放電管組込ユニット１００について、「本体ケース７０に対する固定板１０の他端縁への連結を、本体ケース７０に立設されて固定板１０の他端縁が挿入される固定手段取付溝６１を有する組付板６０を介して行うようにしたこと」である。
【００７８】
すなわち、この［本発明ハ］記載の放電管組込ユニット１００は、図１、図５、図６、図８〜図１０に示すように、本体ケース７０の立上がり部７２とは反対側に組付板６０を立設して、この組付板６０の固定手段取付溝６１に固定板１０の他端縁（例えば図８では図示左側端縁）を連結するようにしたものである。勿論、固定板１０の一端縁（例えば図８では図示右側端縁）は、本体ケース７０の立上がり部７２に形成してある固定手段取付溝７２ａに連結（係合）される。
【００７９】
このように、本体ケース７０とは別の組付板６０を形成して、この組付板６０を本体ケース７０に取り付けるようにした場合には、本体ケース７０自体の製造を簡単にすることができるだけでなく、組付板６０そのものを板状のものとすることができて、全体として製造を容易にすることができる。なお、このような組付板６０を固定板１０に組み付けたものを内部ユニット１００ａとしてもよく、この組付板６０がないものを内部ユニット１００ａとしてもよいものである。
【００８０】
また、この組付板６０においては、図８にも示すように、本体ケース７０側の組付レール７３にスライド結合される組付レール６２が下端に形成してあり、上端にはカバー７０ａの端部が係合されるカバー取付溝６４が形成してある。従って、この組付板６０は、組付レール６２にて本体ケース７０の基部７１に取り付けられて本体ケース７０の立上がり部７２と平行になり、固定板１０の他端縁が固定手段取付溝７２ａに係合され、カバー取付溝６４内にカバー７０ａが係合されることにより、本体ケース７０やカバー７０ａとともに内部ユニット１００ａを完全に包み込む箱体を簡単に構成できるのであり、この箱体の剛性を十分なものとするのである。
【００８１】
従って、この［本発明ハ］に係る放電管組込ユニット１００は、上記［本発明イ］のそれと同様な作用を発揮することは勿論、本体ケース７０の製造や構成がより簡単なものとなっているのである。
【００８２】
また、［本発明ニ］の放電管組込ユニット１００は、上記［本発明ロ］又は［本発明ハ］のいずれかに記載の放電管組込ユニット１００について、  「固定手段３０は、二次側配線２２を把持する二次配線固定手段３４を備えたこと」である。
【００８３】
これにより、この［本発明ニ］の本体ケース７０への取付機能を備えているだけでなく、二次側配線２２を確実に保持するため、コンパクトでかつ部品点数を削減することも可能である。また、図２６に示した従来のもののように、交差したあるいは垂れ下がった二次側配線２２に邪魔されることなく、固定板１０を本体ケース７０に迅速簡単に装着することができるものとなっている。
【００８４】
また、［本発明ホ］の放電管組込ユニット１００は、上記［本発明ニ］に記載の放電管組込ユニット１００について、  「固定手段３０の各二次配線固定手段３４間に空間部３５を介在させることにより、各二次配線固定手段３４内に二次側配線２２を挿入する際に、各二次配線固定手段３４に形成してある各把持部３４ａが撓み得るようにしたこと」である。
【００８５】
すなわち、この［本発明ホ］に係る放電管組込ユニット１００では、その固定手段３０の各二次配線固定手段３４間に、図１１及び図１６に示すように、空間部３５を介在させて、二次配線固定部３３の上端部を把持部３４ａとしたものである。
【００８６】
これにより、各二次配線固定手段３４内に二次側配線２２を挿入する際に、各二次配線固定手段３４に形成してある各把持部３４ａが空間部３５側に撓むことになり、各把持部３４ａ内に二次側配線２２を挿入する作業が簡単に行えるのである。
【００８７】
従って、この［本発明ホ］に係る放電管組込ユニット１００は、上記［本発明ニ］に記載の放電管組込ユニット１００と同様な機能を発揮する他、各把持部３４ａ内への二次側配線２２の挿入を簡単に行えるものとなっているのである。
【００８８】
さらに、［本発明ヘ］の放電管組込ユニット１００は、上記［本発明ロ］〜［本発明ホ］のいずれかに記載の放電管組込ユニット１００について、「放電管支持具５０を、固定板１０側に固定される本体５１と、この本体５１に固定されて、放電管４０が収納される放電管挿入部５３を形成することになる嵌合体５２とにより構成したこと」である。
【００８９】
すなわち、この［本発明ヘ］の放電管組込ユニット１００では、特にその放電管支持具５０を、図１７〜図２２に示すように、固定板１０側に固定される本体５１と、この本体５１に固定されて、放電管４０が収納される放電管挿入部５３を形成することになる嵌合体５２とにより構成したものである。
【００９０】
これにより、この放電管組込ユニット１００では、３本の放電管４０の固定板１０等への固定を、従来であったら結束ひもを使用して行っていたのであるが、そのような面倒な作業を必要とすることなく、簡単に行えるものとなっているのである。
【００９１】
また、［本発明ト］の放電管組込ユニット１００は、上記［本発明ヘ］記載の放電管組込ユニット１００について、「各放電管挿入部５３の内面に保持突条５３ａを形成したこと」である。
【００９２】
すなわち、この［本発明ト］の放電管組込ユニット１００では、その各放電管挿入部５３の内面に保持突条５３ａを形成したものであるが、これら各保持突条５３ａは、当該放電管支持具５０によって放電管４０を固定したときに、放電管４０の表面に接触して放電管４０の位置を確定させることになるのである。
【００９３】
従って、この［本発明ト］の放電管組込ユニット１００は、上記［本発明ヘ］のそれと同様な機能を発揮する他、各放電管支持具５０によって放電管４０を支持したとき、この放電管４０の位置ズレを確実に防止し得るのである。
【００９４】
以上、詳述した通り、本発明に係る放電管組込ユニット１００によれば、
「放電管４０と、入力した電源を昇圧し、その昇圧された電力を当該放電管４０に供給するトランス２０と、当該トランス２０と放電管４０との間に設けられ当該トランス２０からの前記電力を供給するための二次側配線２２とを、箱状になす本体ケース７０内に組み込んだ放電管組込ユニット１００において、本体ケース７０に固定される板状の固定板１０に固定手段３０を設け、  当該固定板１０は、  表面に、放電管４０を支持固定する放電管支持具５０と、放電管４０とを設け、裏面に、トランス２０を固定して設けたこと」にその構成上の主たる特徴があり、これにより、固定板１０に全ての部品を集約して一体化することができ、この状態で本体ケース７０に固定することができるのである。その結果、この放電管組込ユニット１００は、その厚みを薄く構成することができると共に、簡単に全ての部品を取り付けることができるのである。
【００９５】
（他の実施形態への変更例）
以上説明した最良形態を他の実施形態へ変更した例を以下に示す。
・以上の本実施形態では、照明装置として放電管４０で説明したが、ＥＥＦＬ管、蛍光灯、冷陰極管であっても良い。
【００９６】
・また、放電管４０としてネオン管を採用した場合、図２の（ａ）に示したようなへアピン形状に屈曲したものに限らず、直線形状に形成したものであってもよい。このネオン管４０としては、着色したガラスを使用したものに限らず、ガラス管の内側に蛍光塗料が塗布されたものであってもよい。その際、ネオントランス２０は、各照明装置に合わせトランスや安定器で構成される。
【００９７】
・以上の本実施形態では、照明装置として放電管４０を複数本使用して説明したが、１本で設けたものでも良い。
【００９８】
・以上の本実施形態では、固定手段としてビスによる固定で説明したが、接着固定、ボルト固定又は溶接固定であっても良い。
【００９９】
・以上の本実施形態では、本体ケース７０へ内部ユニット１００ａを固定する固定手段としての本体取付片３２を固定板１０よりも下方に設けたが、本体取付片３２を固定板１０よりも上方に設けたものでも良く、本体取付片３２の位置は特に限定されるものではない。
【０１００】
・以上の本実施形態では、トランス２０を１個使用した実施例で説明したが、複数個使用した実施形態であっても良く、例えば、放電管４０の長さや本数に合わせて、固定板１０の裏面に長手方向に沿って直列に複数個のトランス２０を配置しても良い。
【０１０１】
・また、トランス２０の表面が十分な光反射面となっていれば、固定板１０は、図２３及び図２４に示したような小さなものとして実施してもよい。この場合には、各放電管４０の放電管支持具５０による支持と、二次側配線２２の固定手段３０による保持とをトランス２０の両側で行うことができるため、当該放電管組込ユニット１００全体の厚さをより一層薄くすることができる。
【０１０２】
・トランス２０を本体ケース７０の基部７１上に固定し、一次側配線２１を立上がり部７２から引き出すようにすれば、一体化した放電管組込ユニット１００全体の剛性をより高いものとすることができる。
【産業上の利用可能性】
【０１０３】
本発明に係る放電管組込ユニット１００は、建物の外壁や観覧車等の遊具の側面に多数装着して、建物の外壁や観覧車等の装飾照明として使用されるものであるが、薄くてコンパクトなものとして構成できることから、例えば、建物内の壁に形成してある「飾り窓」、天井の「間接照明器具」等としても利用でき、建築業界において大いに利用される可能性がある。
【０１０４】
また、この放電管組込ユニット１００は、薄くてコンパクトなものとして構成できることから、建物だけでなく、自動車や列車等の車室内の照明用器具としても利用でき、自動車産業や交通機関において大いに利用される可能性がある。
【０１０５】
さらに、この放電管組込ユニット１００は、薄くてコンパクトなものとして構成できて、しかも放電管４０や本体ケース７０等は自由曲線のものとし得ることから、例えば大きな文字や絵を形成して看板にもすることができ、広告業界においても大いに利用される可能性がある。
【図面の簡単な説明】
【０１０６】
【図１】本発明に係る放電管組込ユニットを示すもので、（ａ）は全体斜視図、（ｂ）はカバーを外して内部を示した斜視図である。
【図２】同放電管組込ユニットを構成する内部ユニットを示すもので、（ａ）は正面図、（ｂ）は底面図である。
【図３】同内部ユニットを示すもので、（ａ）は背面図、（ｂ）は平面図、（ｃ）は正面図、（ａ）は底面図である。
【図４】図３の内部ユニットを別方向から示すもので、（ａ）は斜視図、（ｂ）は右側面図、（ｃ）は左側面図、（ｄ）は図３の２−２線に沿ってみた断面図、（ｅ）は図３の１−１線に沿ってみた断面図である。
【図５】同放電管組込ユニットを示すもので、（ａ）は背面図、（ｂ）は平面図、（ｃ）は正面図、（ａ）は底面図である。
【図６】図５の放電管組込ユニットを別方向から示すもので、（ａ）は斜視図、（ｂ）は左側面図、（ｃ）は右側面図、（ｄ）は図５の４−４線に沿ってみた断面図、（ｅ）は図５の３−３線に沿ってみた断面図である。
【図７】図６の（ｅ）にて示した放電管組込ユニットの拡大縦断面図である。
【図８】図６の（ｄ）にて示した放電管組込ユニットの拡大縦断面図である。
【図９】同内部ユニットを組付板に組み付けた状態を示すもので、（ａ）は組付板を背面にしたときの斜視図、（ｂ）は組付板を正面にしたときの斜視図である。
【図１０】図６の（ｄ）にて示した放電管組込ユニットから本体ケースを外したときの拡大縦断面図である。
【図１１】固定手段を使用したときの状態を示す斜視図である。
【図１２】内部ユニットを本体ケースと組付板との間に組み付けている状態を示す斜視図である。
【図１３】内部ユニットを本体ケースと組付板との間に組み付ける方法を示す断面図である。
【図１４】内部ユニットを本体ケースと組付板との間に組み付けた状態を示す斜視図である。
【図１５】本体ケースと組付板との間に組み付けた内部ユニットをカバーによって覆う様子を示す斜視図である。
【図１６】固定手段を示すもので、（ａ）は拡大平面図、（ｂ）拡大正面図である。
【図１７】放電管支持具を示すもので、（ａ）は分解斜視図、（ｂ）は組み付け完了後の斜視図である。
【図１８】放電管支持具を構成している本体を示すもので、（ａ）は斜視図、（ｂ）は背面図、（ｃ）は平面図、（ｄ）は正面図、（ｅ）は底面図、（ｆ）は左側面図、（ｇ）は右側面図である。
【図１９】放電管支持具を構成している嵌合体を示すもので、（ａ）は斜視図、（ｂ）は背面図、（ｃ）は平面図、（ｄ）は正面図、（ｅ）は底面図、（ｆ）は左側面図、（ｇ）は右側面図である。
【図２０】本体と嵌合体とで構成した放電管支持具を示すもので、（ａ）は斜視図、（ｂ）は背面図、（ｃ）は平面図、（ｄ）は正面図、（ｅ）は底面図、（ｆ）は左側面図、（ｇ）は右側面図である。
【図２１】本体と嵌合体とで構成した別の放電管支持具を示すもので、（ａ）は斜視図、（ｂ）は背面図、（ｃ）は平面図、（ｄ）は正面図、（ｅ）は底面図、（ｆ）は左側面図、（ｇ）は右側面図である。
【図２２】本体と嵌合体とで構成したさらに別の放電管支持具を示すもので、（ａ）は斜視図、（ｂ）は背面図、（ｃ）は平面図、（ｄ）は正面図、（ｅ）は底面図、（ｆ）は左側面図、（ｇ）は右側面図である。
【図２３】固定手段を小さくした場合の実施例を示す放電管組込ユニットの斜視図である。
【図２４】図２３に示した放電管組込ユニットにカバーを嵌合しようとしている状態を示す斜視図である。
【図２５】従来の技術を示す縦断面図である。
【図２６】図２５に示したものの縦断正面図である。
【符号の説明】
【０１０７】
１００    放電管組込ユニット
１００ａ  内部ユニット
１０    固定板
１１    長孔１１
２０    トランス
２１    一次側配線
２１ａ  配線固定ボルト
２２    二次側配線
２３    アース端子
３０    固定手段
３１    固定手段取付片
３２    本体取付片
３３    二次配線固定部
３４    二次配線固定手段
３４ａ  腕部
３５    空間部
４０    放電管
４１    熱収縮チューブ
５０    放電管支持具
５１    本体
５１ａ  取付部
５１ｂ  取付孔
５２    嵌合体
５３    放電管挿入部
５３ａ  保持突条
６０    組付板
６１    固定手段取付溝
６２    組付レール
６３    ビス孔
６４    カバー取付溝
７０    本体ケース
７０ａ  カバー
７０ｂ  蓋
７１    基部
７２    立上がり部
７２ａ  固定手段取付溝
７３    組付レール
７４    固定孔
７５    ビス孔
【図１】
0004597881.tif 000002
【図２】
0004597881.tif 000003
【図３】
0004597881.tif 000004
【図４】
0004597881.tif 000005
【図５】
0004597881.tif 000006
【図６】
0004597881.tif 000007
【図７】
0004597881.tif 000008
【図８】
0004597881.tif 000009
【図９】
0004597881.tif 000010
【図１０】
0004597881.tif 000011
【図１１】
0004597881.tif 000012
【図１２】
0004597881.tif 000013
【図１３】
0004597881.tif 000014
【図１４】
0004597881.tif 000015
【図１５】
0004597881.tif 000016
【図１６】
0004597881.tif 000017
【図１７】
0004597881.tif 000018
【図１８】
0004597881.tif 000019
【図１９】
0004597881.tif 000020
【図２０】
0004597881.tif 000021
【図２１】
0004597881.tif 000022
【図２２】
0004597881.tif 000023
【図２３】
0004597881.tif 000024
【図２４】
0004597881.tif 000025
【図２５】
0004597881.tif 000026
【図２６】
0004597881.tif 000027